(57)【要約】【課題】大型化を招かずに飲料容器の直径の違いに対応することができるように構成されたカップホルダを提供する。【解決手段】飲料容器の底面と側面の一部とを支持する凹所（９）を備えた主ホルダ（６）と、前記凹所と共働して飲料容器を保持するべく弓形の湾曲部（１２）を備えた副ホルダ（７）とを有し、前記副ホルダが、湾曲部を縦向きにした格納位置と湾曲部を横向きにした使用位置との間で回動可能に前記主ホルダに枢着されたカップホルダにおいて、小径の飲料容器を保持するための補助板（２２）を、副ホルダの前方投影面に重なる位置へ向けて弾発的に回動付勢された状態で副ホルダに枢着したものとする。これにより、カップホルダを大型化せずに済み、補助板を設けることによる他への影響が殆ど皆無である。【選択図】      図２
2004359083.tif 000002
【特許請求の範囲】
【請求項１】
飲料容器の底面と側面の一部とを支持する凹所を備えた主ホルダと、前記凹所と共働して飲料容器を保持するべく弓形の湾曲部を備えた副ホルダとを有し、前記副ホルダが、湾曲部を縦向きにした格納位置と湾曲部を横向きにした使用位置との間で回動可能に前記主ホルダに枢着されたカップホルダであって、
小径の飲料容器を保持するための補助板が、前記副ホルダの前方投影面に重なる位置へ向けて弾発的に回動付勢された状態で前記副ホルダに枢着されていることを特徴とするカップホルダ。
【発明の詳細な説明】
【０００１】
【発明の属する技術分野】
本発明は、カップホルダに関し、特に飲料容器の直径の違いに対応し得るカップホルダに関するものである。
【０００２】
【従来の技術】
缶や紙コップ等の飲料容器は、その容量が多種多様であり、直径の異なるものが種々出回っている。従って、自動車の車室内に飲料容器を倒れないように保持するためのカップホルダにあっては、飲料容器の直径の違いに簡単に対応し得ることが望ましい。
【０００３】
飲料容器の直径の違いに対応し得る車両用カップホルダとしては、カップを挿入する差込み孔が形成されたホルダ本体に、差込み孔の一部に被さるように弾発付勢されたフラップ状のカップ保持部をヒンジ結合しておき、そのカップ保持部の内周側端縁をカップの側面に当接させることで小径のカップをがたつかないように保持するようにしたもの（実開昭６４−５１５４０号公報を参照されたい）や、並列配置された２つの容器挿入孔同士の間の部分に、容器挿入孔の中心側への弾発力を発揮する弾性材を取付け、この弾性材をカップの側面に当接させることにより、小径のカップをがたつかないように保持するようにしたもの（特開平５−９２７３４号公報を参照されたい）等が知られている。
【０００４】
【特許文献１】
実開昭６４−５１５４０号公報
【特許文献２】
特開平５−９２７３４号公報
【０００５】
【発明が解決しようとする課題】
しかるに、これら従来のものは、いずれも小径のカップに対応するために別部材からなる保持部材を取り付けており、保持部材の取り付けスペースをホルダ本体に設ける必要があるので、その分だけカップホルダが大型化するという欠点がある。
【０００６】
本発明は、このような従来技術の問題点を解消すべく案出されたものであり、その主な目的は、大型化を招かずに飲料容器の直径の違いに対応することができるように構成されたカップホルダを提供することにある。
【０００７】
【課題を解決するための手段】
このような目的を果たすために、本発明においては、飲料容器の底面と側面の一部とを支持する凹所（９）を備えた主ホルダ（６）と、前記凹所と共働して飲料容器を保持するべく弓形の湾曲部（１２）を備えた副ホルダ（７）とを有し、前記副ホルダが、湾曲部を縦向きにした格納位置と湾曲部を横向きにした使用位置との間で回動可能に前記主ホルダに枢着されたカップホルダにおいて、小径の飲料容器を保持するための補助板（２２）を、副ホルダの前方投影面に重なる位置へ向けて弾発的に回動付勢された状態で副ホルダに枢着することを特徴とするものとした。
【０００８】
このようにすれば、小径の飲料容器保持用の補助板を主ホルダに設ける必要がないので、カップホルダを大型化せずに済む。しかも副ホルダの格納位置では、副ホルダの前方投影面内に補助板が入るので、補助板を設けることによる他への影響が殆ど皆無である。
【０００９】
【発明の実施の形態】
以下に添付の図面を参照して本発明の構成を詳細に説明する。
【００１０】
図１は、本発明が適用されたカップホルダの全体を示している。このカップホルダ１は、例えば自動車のインストルメントパネルの垂直面に配設されるものであり、インストルメントパネル（図示せず）の内側に固定されるケース２に対し、前後方向スライド自在に取り付けられている。なお、図示の態様においては、カップホルダ１の隣に灰皿３が配設されているが、灰皿３の有無は本発明の本質には何等関係しない。
【００１１】
カップホルダ１は、図２に併せて示すように、ケース２の側壁内面に形成されたガイドレール５に摺合した１つの主ホルダ６と、主ホルダ６の左右両側部にその前後両端が枢着されて略９０度の範囲に渡って回動自在な２つの副ホルダ７とを備えている。そして主ホルダ６の前面には、その収納位置でインストルメントパネルと同一面となるように、フロントパネル８が一体形成されている。
【００１２】
主ホルダ６には、中央へ向けて窪められた２つの凹所９が形成されている。これにより、中央の隔壁１０と底板１１とからなる２つの飲料容器の受容部が画成されている。
【００１３】
副ホルダ７は、図３並びに図４に示したように、主ホルダ６の凹所９に受容される飲料容器（図示せず）の外側面を支持するための弓形の湾曲部１２を備え、その前後端が、前後方向に延在する軸線Ａ上で主ホルダ６に枢支されるようになっている。また副ホルダ７は、その軸線Ａ上に巻装されたねじりコイルばね１３により、湾曲部１２を上向きに跳ね上げるように常時回動付勢されている。
【００１４】
副ホルダ７の後端部には、軸線Ａと同軸の軸方向延出部１４が設けられている。この延出部１４の外周面には、主ホルダ６と一体の前後方向変位を副ホルダ７の回動変位に変換するための螺旋突条１５が形成されている。そしてケース２の側壁内面に形成された前後方向直線突条１６の下面に螺旋突条１５が係合するようになっている。
【００１５】
上記の如く構成されたカップホルダ１において、フロントパネル８に指を掛けてケース２から主ホルダ６を前方へ引き出すと、副ホルダ７は、軸方向延出部１４の螺旋突条１５がケース２の側壁内面の直線突条１６に係合しているので、これがケース２内にある間は、図２の左側に示した格納位置、つまり湾曲部１２の外周面が底板１１に対向する位置（縦向き状態）を維持するようになっている。そしてケース２の側壁に干渉しない位置まで主ホルダ６が引き出されると、副ホルダ７が湾曲部１２を上向きに回動させ始め、ケース２から主ホルダ６を完全に引き出すと、図２の右側に示したように、湾曲部１２の外周面が側方を向く使用位置（横向き状態）にまで副ホルダ７が回動するようになっている。このようにして、主ホルダ６の凹所９と副ホルダ７の湾曲部１２との間に、水平面上での内周輪郭が概ね円形をなす飲料容器の保持空間が画定される。
【００１６】
主ホルダ６をケース２内に押し込むと、直線突条１６の下面で螺旋突条１５が押され、主ホルダ６の後退移動に従って副ホルダ７はその湾曲部１２を下向きに回動させる。そしてケース２内に主ホルダ６を一杯に押し込むと、図２の左側の格納位置まで副ホルダ７が回動して主ホルダ６の凹所９内に格納される。
【００１７】
副ホルダ７には、図３〜図５に示すように、湾曲部１２の外周面の前後両端部に軸受部２１が形成されている。この軸受部２１には、副ホルダ７の湾曲部１２に対して略９０度の範囲に渡って回動可能なように、補助板２２が枢着されている。この補助板２２は、湾曲部１２の曲率と略等しい曲率の湾曲面２２ａを有すると共に、その遊端縁２２ｂには、小径の飲料容器に対応した曲率の円弧が形成されている。
【００１８】
補助板２２は、その前後両端に形成された軸部２３にねじりコイルばね（図示せず）が組み込まれており、図２並びに図５に示されたように、通常は湾曲部１２の面に対して湾曲面２２ａが直交する状態にされている。即ち、副ホルダ７の前方投影面に重なる位置へ向けて弾発的に回動付勢された状態で、補助板２２が副ホルダ７に枢着されている。
【００１９】
小径の飲料容器を保持する場合は、主ホルダ６の側方へ突出した副ホルダ７と略平行に、つまり水平方向に補助板２２が向いており（図２の右側に示す状態）、内向きになった円弧状の遊端縁２２ｂと中央隔壁１０との間に小径の飲料容器を保持する空隙が形成される。そして大径の飲料容器を保持する場合は、飲料容器の外周面で補助板２２が押し下げられ、最終的には湾曲部１２の内周面と補助板２２の湾曲面２２ａとが同一面となるまで補助板２２が回動する。
【００２０】
副ホルダ７の格納位置では、副ホルダ７の前方投影面に補助板２２が重なるので、この状態では、補助板２２は副ホルダ７の運動に何の影響も及ぼさない。そして、湾曲部１２が使用位置に突出した状態では、大径の飲料容器に押されると垂直位置まで回動して湾曲部１２の内周面に連なるので、補助板２２は全く邪魔になることがない。
【００２１】
なお、副ホルダ７の湾曲部１２の最外端から軸受部２３を突出させずに構成し得るので、ケース２や主ホルダ６の各部の寸法が補助板２２の有無に影響されずに済むため、副ホルダ７以外の部分は補助板２２を設けない仕様と共用することができる。
【００２２】
【発明の効果】
以上詳述した通り本発明によれば、主ホルダの側面から出没可能なように設けられた副ホルダに小径容器保持用の補助板をヒンジ結合するものとしたので、外形寸法の大型化を招かずに直径寸法が互いに異なる複数サイズの飲料容器を安定保持することのできるカップホルダを提供することができる。
【図面の簡単な説明】
【図１】本発明が適用されたカップホルダの全体斜視図
【図２】図１のカップホルダの前後方向中間部で切断した縦断面図
【図３】副ホルダの斜視図
【図４】副ホルダの上面図
【図５】図５中のＶ−Ｖ線に沿う断面図
【符号の説明】
１  カップホルダ
６  主ホルダ
７  副ホルダ
９  凹所
１０  隔壁
１１  底板
１２  湾曲部
２２  補助板
【図１】
2004359083.tif 000003
【図２】
2004359083.tif 000004
【図３】
2004359083.tif 000005
【図４】
2004359083.tif 000006
【図５】
2004359083.tif 000007